(57)【特許請求の範囲】
【請求項１】
ロック装置と、前記ロック装置を管理するための設備管理装置とを含む、設備管理システムであって、
前記ロック装置は、
前記ロック装置を開錠するための鍵情報を使用者の携帯通信端末から受信する受信手段と、
前記受信された鍵情報を前記設備管理装置に送信する送信手段とを備え、
前記設備管理装置は、
前記携帯通信端末の固有データと前記ロック装置の固有データとに基づいて、前記鍵情報を生成する生成手段と、
前記生成された鍵情報を記憶する記憶手段と、
前記記憶された鍵情報を前記携帯通信端末に送信する送信手段と、
前記ロック装置で受信された鍵情報を前記ロック装置から受信する受信手段と、
前記記憶された鍵情報と、前記受信された鍵情報とが同じ場合に、ロック装置を開錠するように制御する制御手段と、
所定の期間の経過後に前記記憶された鍵情報を消去する消去手段とを備えた、設備管理システム。
【請求項２】
前記所定の期間の経過後とは、使用者がロック装置を開錠するための鍵情報を使用できる権利を失効する時である、請求項１に記載の設備管理システム。
【請求項３】
前記生成手段は、さらに、前記鍵情報を生成するときの時刻に基づいて、前記鍵情報を生成する、請求項１に記載の設備管理システム。
【請求項４】
前記生成手段は、さらに、乱数を用いて、前記鍵情報を生成する、請求項１に記載の設備管理システム。
【請求項５】
前記設備管理装置の送信手段および前記ロック装置の受信手段は、それぞれ赤外線で送受信する、請求項１に記載の設備管理システム。
【請求項６】
前記設備管理装置の送信手段および前記ロック装置の受信手段は、それぞれ遮光カバーを含む、請求項５に記載の設備管理システム。
【請求項７】
前記設備管理装置の送信手段および前記ロック装置の受信手段は、それぞれライトガイドを含む、請求項５に記載の設備管理システム。
【請求項８】
前記設備管理装置の送信手段は、赤外線の放射強度を所定の値に制限する、請求項５に記載の設備管理システム。
【請求項９】
前記ロック装置の受信手段は、赤外線の受光量を所定の値に制限する、請求項５に記載の設備管理システム。
【請求項１０】
ロック装置と、前記ロック装置を管理するための設備管理装置とを含む、設備管理システムであって、
前記設備管理装置は、
前記携帯通信端末の固有データと前記ロック装置の固有データとに基づいて、前記ロック装置を開錠するための鍵情報を生成する生成手段と、
前記生成された鍵情報を記憶する記憶手段と、
前記記憶された鍵情報を前記ロック装置に送信する第１送信手段と、
前記記憶された鍵情報を使用者の携帯通信端末に送信する第２送信手段と、
所定の期間の経過後に前記記憶された鍵情報を消去する消去手段とを備え、
前記ロック装置は、
前記鍵情報を前記設備管理装置から受信する第１受信手段と、
前記受信された鍵情報を記憶する記憶手段と、
前記鍵情報を前記携帯通信端末から受信する第２受信手段と、
前記設備管理装置から受信された鍵情報と、前記携帯通信端末から受信された鍵情報とが同じ場合に、ロックを開錠する開錠手段とを備えた、設備管理システム。
【請求項１１】
前記設備管理装置は、さらに、
前記鍵情報と設備利用料金とを対応付けて記憶する記憶手段と、
前記携帯通信端末から前記鍵情報を受信する鍵情報受信手段と、
前記受信された鍵情報に基づき、前記記憶手段から前記設備利用料金を読出す読出し手段と、
前記読み出された設備利用料金と、振込先金融機関の口座番号とを前記携帯通信端末に送信する送信手段とを備えた、請求項１または請求項１０に記載の設備管理システム。
【請求項１２】
前記設備管理装置は、さらに、
前記鍵情報と設備利用料金とを対応付けて記憶する記憶手段と、
前記携帯通信端末から前記鍵情報と引落金融機関の口座番号と前記口座番号の暗証番号とを受信する利用情報受信手段と、
前記受信された鍵情報に基づき、前記記憶手段から前記設備利用料金を読出す読出し手段と、
前記受信された引落金融機関の口座番号と暗証番号と、振込先金融機関の口座番号と、前記読出された設備利用料金とを前記引落金融機関に送信する送信手段とを備えた、請求項１または請求項１０に記載の設備管理システム。
【請求項１３】
制御部と記憶部とを備えるコンピュータでロック装置を管理する設備管理方法であって、
前記制御部が、前記携帯通信端末の固有データと前記ロック装置の固有データとに基づいて、前記ロック装置を開錠するための鍵情報を生成するステップと、
前記制御部が、前記生成された鍵情報を前記記憶部に記憶させるステップと、
前記制御部が、前記記憶部に記憶された鍵情報を使用者の携帯通信端末に送信するステップと、
前記制御部が、前記ロック装置で前記携帯通信端末から受信された鍵情報を前記ロック装置から受信するステップと、
前記制御部が、前記記憶部に記憶された鍵情報と、前記受信された鍵情報とが同じ場合に、ロック装置を開錠するように制御するステップと、
前記制御部が、所定の期間の経過後に前記記憶された鍵情報を前記記憶部から消去するステップとを含む、設備管理方法。
【請求項１４】
コンピュータで実行される設備管理プログラムであって、
前記携帯通信端末の固有データと前記ロック装置の固有データとに基づいて、前記ロック装置を開錠するための鍵情報を生成するステップと、
前記生成された鍵情報を記憶するステップと、
前記記憶された鍵情報を使用者の携帯通信端末に送信するステップと、
前記ロック装置で前記携帯通信端末から受信された鍵情報を前記ロック装置から受信するステップと、
前記記憶された鍵情報と、前記受信された鍵情報とが同じ場合に、ロック装置を開錠するように制御するステップと、
所定の期間の経過後に前記記憶された鍵情報を消去するステップとをコンピュータに実行させる、設備管理プログラム。
【請求項１５】
請求項１４に記載の設備管理プログラムを記録したコンピュータ読取可能な記録媒体。
【発明の詳細な説明】
【０００１】
【発明の属する技術分野】
本発明は、設備管理システム、設備管理方法、設備管理プログラム、および、設備管理プログラムを記録したコンピュータ読取可能な記録媒体に関し、特に、複数の人が利用する設備を管理するのに適した設備管理システム、設備管理方法、設備管理プログラム、および、設備管理プログラムを記録したコンピュータ読取可能な記録媒体に関する。
【０００２】
【従来の技術】
近年、赤外線を用いて開錠するドアロックシステムが、従来の機械式のドアロックシステムに代えて、用いられるようになってきた。特開２０００−１２９９７８公報では、赤外線通信機能を有する携帯情報通信端末に鍵データを登録し、ドアロック開閉装置に鍵データを送信することにより、ドアロックを開閉させるドアロック開閉システムについて、記載されている。特開２０００−１２９９７８公報のドアロック開閉システムによれば、携帯情報通信端末に鍵データが登録されると、その鍵データを用いていつでもドアロックを開閉することができる。
【０００３】
【発明が解決しようとする課題】
しかしながら、特開２０００−１２９９７８公報のドアロック開閉システムでは、一度、携帯情報通信端末に鍵データを登録すれば、いつでも、ドアロック開閉装置を開閉することができるため、ドアロック開閉装置を開閉する権限のある者のみの使用に限定される。このため、複数の人が利用する施設、たとえば、宿泊設備で使用するには問題がある。
【０００４】
この発明は上述の問題点を解決するためになされたもので、この発明の目的の１つは、複数の人が時間を区分して利用する設備の鍵を管理することが可能な設備管理システム、設備管理方法、設備管理プログラム、および、設備管理プログラムを記録したコンピュータ読取可能な記録媒体を提供することである。
【０００５】
【課題を解決するための手段】
上述の目的を達成するために、この発明のある局面によれば、設備管理システムは、ロック装置と、ロック装置を管理するための設備管理装置とを含み、
ロック装置は、ロック装置を開錠するための鍵情報を使用者の携帯通信端末から受信する受信手段と、受信された鍵情報を設備管理装置に送信する送信手段とを備え、
設備管理装置は、携帯通信端末の固有データとロック装置の固有データとに基づいて、鍵情報を生成する生成手段と、生成された鍵情報を記憶する記憶手段と、記憶された鍵情報を携帯通信端末に送信する送信手段と、ロック装置で受信された鍵情報をロック装置から受信する受信手段と、記憶された鍵情報と、受信された鍵情報とが同じ場合に、ロック装置を開錠するように制御する制御手段と、所定の期間の経過後に記憶された鍵情報を消去する消去手段とを備える。
【０００６】
この発明に従えば、設備管理装置は、記憶された鍵情報と、受信された鍵情報とが同じ場合に、ロック装置を開錠するように制御するとともに、所定の期間の経過後に記憶された鍵情報を消去する。このため、鍵情報は、所定の期間の経過後に使用することができなくなる。その結果、複数の人が時間を区分して利用する設備の鍵を管理することが可能な設備管理システムを提供することができる。また、消去された鍵情報と異なる鍵情報を生成することができる。その結果、鍵情報の複製に対する安全性を高めることができる。
【０００７】
好ましくは、所定の期間の経過後とは、使用者がロック装置を開錠するための鍵情報を使用できる権利を失効する時である。このため、鍵情報を使用できる権利を失効した後は、鍵情報を使用することができなくなる。その結果、複数の人が時間を区分して利用する設備の鍵を管理することができる。
【００１０】
好ましくは、生成手段は、さらに、鍵情報を生成するときの時刻に基づいて、鍵情報を生成する。
【００１１】
好ましくは、生成手段は、さらに、乱数を用いて、鍵情報を生成する。
このため、消去された鍵情報と異なる鍵情報を生成することができる。その結果、鍵情報の複製に対する安全性をさらに高めることができる。
【００１２】
好ましくは、設備管理装置の送信手段およびロック装置の受信手段は、それぞれ赤外線で送受信する。
【００１３】
赤外線は、電波に比べて伝送距離が短く、指向性が狭い。その結果、鍵情報を送受信する際の鍵情報の漏洩に対する安全性を高めることができる。
【００１４】
好ましくは、設備管理装置の送信手段およびロック装置の受信手段は、それぞれ遮光カバーを含む。
【００１５】
好ましくは、設備管理装置の送信手段およびロック装置の受信手段は、それぞれライトガイドを含む。
【００１６】
好ましくは、設備管理装置の送信手段は、赤外線の放射強度を所定の値に制限する。
【００１７】
好ましくは、ロック装置の受信手段は、赤外線の受光量を所定の値に制限する。
【００１８】
このため、赤外線が外部に洩れにくくなる。その結果、鍵情報を送受信する際の鍵情報の漏洩に対する安全性を高めることができる。
【００１９】
この発明の他の局面によれば、設備管理システムは、ロック装置と、ロック装置を管理するための設備管理装置とを含み、
設備管理装置は、携帯通信端末の固有データとロック装置の固有データとに基づいて、ロック装置を開錠するための鍵情報を生成する生成手段と、生成された鍵情報を記憶する記憶手段と、記憶された鍵情報をロック装置に送信する第１送信手段と、記憶された鍵情報を使用者の携帯通信端末に送信する第２送信手段と、所定の期間の経過後に記憶された鍵情報を消去する消去手段とを備え、
ロック装置は、鍵情報を設備管理装置から受信する第１受信手段と、受信された鍵情報を記憶する記憶手段と、鍵情報を携帯通信端末から受信する第２受信手段と、設備管理装置から受信された鍵情報と、携帯通信端末から受信された鍵情報とが同じ場合に、ロックを開錠する開錠手段とを備える。
【００２０】
この発明に従えば、ロック装置は、設備管理装置から受信された鍵情報と、携帯通信端末から受信された鍵情報とが同じ場合に、ロックを開錠する。さらに、設備管理装置は、所定の期間の経過後に記憶された鍵情報を消去する。このため、鍵情報は、所定の期間の経過後に使用することができなくなる。その結果、複数の人が時間を区分して利用する設備の鍵を管理することが可能な設備管理システムを提供することができる。
好ましくは、設備管理装置は、さらに、鍵情報と設備利用料金とを対応付けて記憶する記憶手段と、使用者の携帯通信端末から鍵情報を受信する鍵情報受信手段と、受信された鍵情報に基づき、記憶手段から設備利用料金を読出す読出し手段と、読み出された設備利用料金と、振込先金融機関の口座番号とを携帯通信端末に送信する送信手段とを備える。
この発明に従えば、設備管理装置は、鍵情報と設備利用料金とを対応付けて記憶し、使用者の携帯通信端末から鍵情報を受信し、受信された鍵情報に基づき、記憶手段から設備利用料金を読出して、読み出された設備利用料金と、振込先金融機関の口座番号とを携帯通信端末に送信する。このため、使用者は、携帯通信端末から鍵情報を送信することにより、設備利用料金の決済に必要な情報を受信することができ、所望の金融機関で設備利用料金を決済することができる。その結果、容易に設備利用料金を決済することができる。
好ましくは、設備管理装置は、さらに、鍵情報と設備利用料金とを対応付けて記憶する記憶手段と、使用者の携帯通信端末から鍵情報と引落金融機関の口座番号と口座番号の暗証番号とを受信する利用情報受信手段と、受信された鍵情報に基づき、設備利用料金を読出す読出し手段と、受信された引落金融機関の口座番号と暗証番号と、振込先金融機関の口座番号と、読出された設備利用料金とを引落金融機関に送信する送信手段とを備える。
この発明に従えば、設備管理装置は、鍵情報と設備利用料金とを対応付けて記憶し、使用者の携帯通信端末から鍵情報と引落金融機関の口座番号と口座番号の暗証番号とを受信し、受信された鍵情報に基づき、設備利用料金を読出して、受信された引落金融機関の口座番号と暗証番号と、振込先金融機関の口座番号と、読出された設備利用料金とを引落金融機関に送信する。このため、使用者は、携帯通信端末から鍵情報と設備利用料金の決済に必要な情報とを送信することにより、金融機関で設備利用料金を決済することができる。その結果、容易に設備利用料金を決済することができる。
【００２１】
この発明のさらに他の局面によれば、設備管理方法は、制御部と記憶部と通信部とを備えるコンピュータでロック装置を管理する方法であって、制御部が、携帯通信端末の固有データとロック装置の固有データとに基づいて、ロック装置を開錠するための鍵情報を生成するステップと、制御部が、生成された鍵情報を記憶部に記憶させるステップと、制御部が、記憶部に記憶された鍵情報を通信部を介して使用者の携帯通信端末に送信するステップと、制御部が、ロック装置で携帯通信端末から受信された鍵情報をロック装置から通信部を介して受信するステップと、制御部が、記憶部に記憶された鍵情報と、受信された鍵情報とが同じ場合に、ロック装置を開錠するように制御するステップと、制御部が、所定の期間の経過後に記憶された鍵情報を記憶部から消去するステップとを含む。
【００２２】
この発明に従えば、複数の人が時間を区分して利用する設備の鍵を管理することが可能な設備管理方法を提供することができる。
【００２３】
この発明のさらに他の局面によれば、設備管理プログラムは、コンピュータで実行されるプログラムであって、携帯通信端末の固有データとロック装置の固有データとに基づいて、ロック装置を開錠するための鍵情報を生成するステップと、生成された鍵情報を記憶するステップと、記憶された鍵情報を使用者の携帯通信端末に送信するステップと、ロック装置で携帯通信端末から受信された鍵情報をロック装置から受信するステップと、記憶された鍵情報と、受信された鍵情報とが同じ場合に、ロック装置を開錠するように制御するステップと、所定の期間の経過後に記憶された鍵情報を消去するステップとをコンピュータに実行させる。
【００２４】
この発明に従えば、複数の人が時間を区分して利用する設備の鍵を管理することが可能な設備管理プログラムおよび設備管理プログラムを記録したコンピュータ読取可能な記録媒体を提供することができる。
【００２９】
【発明の実施の形態】
以下、本発明の第１の実施の形態について図面を参照して説明する。なお、図中同一符号は同一または相当する部材を示し、重複する説明は繰返さない。
【００３０】
本発明の実施の形態は、設備管理システムをホテルなどの宿泊設備に適用する場合について説明するが、複数の人が時間を区分して利用する設備の鍵を管理するのである限り、宿泊設備に限定されるものではない。
【００３１】
［第１の実施の形態］
図１は、第１の実施の形態における設備管理システムの概略を示す図である。図１を参照して、設備管理システムは、ホテルなどの宿泊設備に設置される。
【００３２】
設備管理システムは、設備管理装置１００とロック装置２００とから構成される。設備管理装置１００は、コンピュータで構成され、宿泊設備の使用者の携帯通信端末３００と通信するための赤外線通信部１４１を含む。赤外線通信部１４１は、使用者が宿泊設備を利用する時、最初に立ち寄る場所、たとえば、宿泊設備のフロントに設置される。
【００３３】
ロック装置２００は、宿泊設備の客室のドア部に設置され、宿泊設備の使用者の携帯通信端末３００と通信するための鍵情報受信部２０１を含む。ロック装置２００は、図１では１つしか示されていないが、実際には、複数のロック装置２００が設備管理装置１００と接続される。
【００３４】
宿泊設備の使用者は、宿泊設備へのチェックインの際に、フロントに設置される設備管理装置１００の赤外線通信部１４１から、携帯通信端末３００で鍵情報を受信する。使用者の携帯通信端末３００は、赤外線通信機能を備える。鍵情報は、使用者が利用する客室のドア部に設置されるロック装置２００を開錠するための信号である。次に、使用者は、客室のドア部に設置されるロック装置２００の鍵情報受信部２０１に、携帯通信端末３００で、フロントで受信した鍵情報を送信する。そして、設備管理装置１００により、鍵情報が認証されると、ロック装置２００のロックが開錠される。
【００３５】
図２は、第１の実施の形態における設備管理システムの設備管理装置１００とロック装置２００との機能の概略を示す機能ブロック図である。図２を参照して、設備管理システムは、ロック装置２００と、ロック装置２００を管理するための設備管理装置１００とを含む。
【００３６】
設備管理システムの設備管理装置１００は、設備管理装置１００の全体を制御するための制御部１１０と、所定の情報を記憶するための記憶部１３０と、設備管理装置１００をネットワークと接続するための通信インターフェイスおよび携帯通信端末３００などの通信機器と通信するための通信インターフェイスである通信部１４０と、設備管理装置１００に所定の情報を入力するための入力部１５０と、設備管理装置１００から所定の情報を出力するための出力部１６０と、記録媒体１７１に記録された情報を入力したり、記録媒体１７１に必要な情報を記録するための外部記憶装置１７０とを含む。
【００３７】
制御部１１０は、中央演算処理装置（ＣＰＵ）であり、制御部１１０で実行するためのプログラムを記憶するためのリードオンリメモリ（ＲＯＭ）とプログラムを実行するために必要な作業領域として用いられるランダムアクセスメモリ（ＲＡＭ）とを含む。
【００３８】
記憶部１３０は、ハードディスクドライブ（ＨＤＤ）等の磁気ディスク記憶装置である。磁気ディスク記憶装置に代えて、光磁気ディスク記憶装置や、光ディスク等を用いることもできる。
【００３９】
通信部１４０は、設備管理装置１００を外部のネットワークに接続するための通信インターフェイスおよび携帯通信端末３００などの通信機器と通信するための通信インターフェイスである。通信部１４０を介して、設備管理装置１００は、他のコンピュータや通信機器と必要な情報を送受信する。
【００４０】
入力部１５０は、キーボード、マウス等であり、設備管理装置１００に必要な情報を入力することができる。
【００４１】
出力部１６０は、液晶表示装置または陰極線管（ＣＲＴ）等のディスプレイであり、設備管理装置１００から必要な情報を出力することができる。
【００４２】
外部記憶装置１７０は、記録媒体１７１に記録されたプログラムやデータを読込み、制御部１１０に送信する。また、外部記憶装置１７０は、制御部１１０からの指示により、記録媒体１７１に必要な情報を書込む。
【００４３】
コンピュータ読取可能な記録媒体１７１としては、磁気テープ、カセットテープ、フロッピー（Ｒ）ディスク、ハードディスク等の磁気ディスク、ＣＤ−ＲＯＭ（Compact Disk Read Only Memory）、ＤＶＤ（Digital Versatile Disk）等の光ディスク、ＭＯ（Magneto Optical disk）、ＭＤ（MiniDisc）等の光磁気ディスク、ＩＣカード、光カード等のメモリカード、あるいは、マスクＲＯＭ，ＥＰＲＯＭ（Erasable Programmable Read Only Memory）、ＥＥＰＲＯＭ（Electrionically Erasable and Programmable Read Only Memory）、フラッシュＲＯＭ等の半導体メモリを含めた、固定的にプログラムを担持する記録媒体である。また、記録媒体１７１を、ネットワークからプログラムがダウンロードされるように流動的にプログラムを担持する媒体とすることもできる。
【００４４】
設備管理装置１００の制御部１１０は、鍵情報生成部１１５と、鍵情報送信部１１１と、鍵情報受信部１１２と、ロック装置制御部１１３と、鍵情報消去部１１４とを含む。設備管理装置１００の記憶部１３０は、鍵情報記憶部１３１を含む。設備管理装置１００の通信部１４０には、赤外線通信部１４１が接続される。また、ロック装置２００は、鍵情報受信部２０１と、鍵情報送信部２０２とを含む。
【００４５】
設備管理装置１００の鍵情報生成部１１５は、ロック装置２００を開錠するための鍵情報を生成する。
【００４６】
設備管理装置１００の鍵情報記憶部１３１は、鍵情報生成部１１５で生成された鍵情報を記憶する。
【００４７】
設備管理装置１００の鍵情報送信部１１１は、宿泊設備の使用者が宿泊設備にチェックインする際に、鍵情報記憶部１３１に記憶された鍵情報を、使用者の携帯通信端末３００に、赤外線通信部１４１を介して送信する。
【００４８】
設備管理装置１００の赤外線通信部１４１は、鍵情報送信部１１１から送信された鍵情報を赤外線信号に変換して、使用者の携帯通信端末３００に送信する。赤外線通信部１４１は、直接、設備管理装置１００の通信部１４０に接続されてもよいし、ネットワークを介して接続された別のコンピュータに接続されてもよい。
【００４９】
ロック装置２００の鍵情報受信部２０１は、宿泊設備の使用者が宿泊設備の客室のドアを開錠しようとする際に、宿泊設備の使用者の携帯通信端末３００から鍵情報を受信する。
【００５０】
ロック装置２００の鍵情報送信部２０２は、鍵情報受信部２０１で受信された鍵情報を設備管理装置１００に送信する。
【００５１】
設備管理装置１００の鍵情報受信部１１２は、ロック装置２００で受信された鍵情報をロック装置２００から受信する。
【００５２】
設備管理装置１００のロック装置制御部１１３は、設備管理装置１００の鍵情報記憶部１３１に記憶された鍵情報と、鍵情報受信部１１２で受信された鍵情報とが同じ場合に、ロック装置２００を開錠するように制御するための制御コマンドを通信部１４０を介して送信する。
【００５３】
設備管理装置１００の鍵情報消去部１１４は、所定の時間経過した後、鍵情報記憶部１３１に記憶された鍵情報を消去する。所定の時間経過した時とは、たとえば、宿泊設備の使用者が宿泊設備からチェックアウトする時、チェックインから所定の時間が経過した時、あるいは、予め定められた時刻になった時である。鍵情報記憶部１３１から鍵情報が消去されることによって、設備管理装置１００のロック装置制御部１１３は、鍵情報を照合できなくなるので、鍵情報は使用できなくなる。すなわち、所定の時間経過した時は、使用者がロック装置を開錠するための鍵情報を使用できる権利を失効する時である。
【００５４】
ここで、鍵情報生成部１１５は、携帯通信端末３００の固有データ、ロック装置２００の固有データ、鍵情報を生成するときの時刻、あるいは、乱数に基づいて、鍵情報を生成してもよい。また、鍵情報生成部１１５は、携帯通信端末３００の固有データ、ロック装置２００の固有データ、鍵情報を生成するときの時刻、または、乱数をそれぞれ組み合わせて、鍵情報を生成してもよい。このようにすることで、使用者鍵情報消去部１１４で消去された鍵情報と異なる鍵情報を生成することができる。
【００５５】
携帯通信端末の固有データとしては、携帯通信端末の機種コード、製造シリアル番号、機種コードと製造シリアル番号の合成データ、あるいは、携帯通信端末が携帯電話である場合は電話番号などを用いることができる。また、ロック装置の固有データとしては、ロック装置の製造シリアル番号あるいはロック装置が設置される宿泊設備の客室の番号などを用いることができる。たとえば、ロック装置の固有データが「Ａ１０２」で、携帯通信端末の固有データが「Ｐ５０３ｉｓ５３６７４５１９７ＰＮ」であって、ロック装置および携帯通信端末の固有データを組み合わせて鍵情報を生成する場合、鍵情報は、「Ａ１０２Ｐ５０３ｉｓ５３６７４５１９７ＰＮ」、「Ｐ５０３ｉｓ５３６７４５１９７ＰＮＡ１０２」あるいは「Ｐ５Ａ０３１ｉｓ０５３２６７４５１９７ＰＮ」のように生成される。
【００５６】
設備管理装置１００の赤外線通信部１４１は、遮光カバーを設けるようにしてもよい。
【００５７】
図３は、第１の実施の形態における設備管理システムの設備管理装置１００の赤外線通信部１４１の外観を示す図である。図３（Ａ）は赤外線通信部１４１の斜視図であり、図３（Ｂ）は赤外線通信部１４１の断面図である。図３（Ａ）および図３（Ｂ）を参照して、赤外線通信部１４１は、赤外線受発光部５１０と遮光カバー５２０とを含む。
【００５８】
遮光カバー５２０は、赤外線通信装置５００の赤外線受発光部５１０のケーシングの外部に取り付けられ、携帯通信端末３００の赤外線通信部を覆い隠す構造である。遮光カバー５２０により、携帯通信端末３００と赤外線通信部１４１との通信において、赤外線が外部に洩れにくくなる。遮光カバー５２０は、赤外線が外部に洩れにくい構造であれば、どのようなものでもよい。たとえば、遮光カバー５２０の形状は、円筒、四角筒、ひさし形、凹部などである。
【００５９】
設備管理装置１００の赤外線通信部１４１は、遮光カバーとは別に、ライトガイドを設けるようにしてもよい。
【００６０】
図４は、第１の実施の形態における設備管理システムの設備管理装置１００の変形された赤外線通信部１４１Ａの外観を示す図である。図４（Ａ）は赤外線通信部１４１Ａを水平断面で切断した断面図であり、図４（Ｂ）は赤外線通信部１４１Ａを鉛直断面で切断した断面図である。図４（Ａ）および図４（Ｂ）を参照して、赤外線通信部１４１Ａは、赤外線受発光部５１０とライトガイド５３０とを含む。
【００６１】
ライトガイド５３０は、赤外線通信装置５００のケーシングに開けられた赤外線送信穴および赤外線受信穴と、赤外線受発光部５１０の発光部および受光部との間に、それぞれ、取り付けられる筒状のガイドである。赤外線は、赤外線受発光部５１０の発光部から放射され、ライトガイド５３０および赤外線送信穴を通過して、外部に放射される。また、赤外線は、赤外線受信穴およびライトガイド５３０を通過して、赤外線受発光部５１０の受光部に入射される。ライトガイド５３０の穴の断面積を小さくすることにより、赤外線通信部１４１Ａの赤外線指向角を小さくすることができる。
【００６２】
赤外線通信部１４１，１４１Ａに、遮光カバー５２０とライトガイド５３０とを、共に備えるようにしてもよい。
【００６３】
さらに、赤外線通信部１４１および変形された赤外線通信部１４１Ａの赤外線受発光部５１０の発光側の放射強度を制限するために、発光側の駆動電流を制限してもよい。また、図３の赤外線通信部１４１および図４の赤外線通信部１４１Ａの赤外線受発光部５１０の発光側の放射強度と受光側の受光量の両方を制限するために、赤外線受発光部５１０のモールド樹脂の透過率を低下させたり、赤外線受発光部５１０のスモークフィルタの透過率を低下させたりしてもよい。赤外線通信の到達距離は準拠する規格により０．２ｍ仕様と１．０ｍ仕様があるが、赤外線の到達可能距離を０．１ｍ程度に制限する場合は、発光側の駆動電流、モールド樹脂の透過率あるいはスモークフィルタの透過率を１〜７０％程度に制限すればよい。
【００６４】
遮光カバー５２０およびライトガイド５３０は、ロック装置の鍵情報受信部２０１にも同様に適用することができる。この場合、赤外線受発光部５１０は、赤外線受光部に置き換えられる構成とする。
【００６５】
図５は、第１の実施の形態における設備管理システムで行なわれる処理の流れを示すフローチャートである。図５では、左から順に設備管理装置１００、ロック装置２００および携帯通信端末３００で実行される処理を示す。図５を参照して、ステップＳ１１では、設備管理装置１００の鍵情報生成部１１５で、ロック装置２００を開錠するための鍵情報が生成される。鍵情報生成部１１５は、前の使用者が使用していた鍵情報と異なる鍵情報を生成する。
【００６６】
ステップＳ１２では、ステップＳ１１で生成された鍵情報が、設備管理装置１００の鍵情報生成部１１５により、設備管理装置１００の鍵情報記憶部１３１に記憶される。
【００６７】
そして、設備管理装置１００の鍵情報送信部１１１により、ステップＳ１２で記憶された鍵情報が読み出され、宿泊設備の使用者の携帯通信端末３００に、読み出された鍵情報が送信される（ステップＳ１３）。
【００６８】
一方、宿泊設備の使用者の携帯通信端末３００では、ステップＳ１３で送信された鍵情報が受信される（ステップＳ３１）。
【００６９】
そして、受信された鍵情報が、宿泊設備の使用者の携帯通信端末３００により、ロック装置２００に送信され（ステップＳ３２）、ロック装置２００の鍵情報受信部２０１により、ステップＳ３２で送信された鍵情報が受信される（ステップＳ２１）。
【００７０】
そして、ロック装置２００の鍵情報送信部２０２により、ステップ２１で受信された鍵情報が設備管理装置１００に送信される（ステップＳ２２）。
【００７１】
さらに、設備管理装置１００の鍵情報受信部１１２により、、ステップＳ２２で送信された鍵情報が受信される（ステップＳ１４）。
【００７２】
そして、設備管理装置１００のロック装置制御部１１３により、ステップＳ１２で記憶された鍵情報と、ステップＳ１４で受信された鍵情報とが同じか否かが判断される。同じ場合は、ステップＳ１６に進み、異なる場合は、ステップＳ１４に戻る（ステップＳ１５）。
【００７３】
そして、設備管理装置１００のロック装置制御部１１３により、ロック装置２００が開錠されるように制御され（ステップＳ１６）、ロック装置２００が開錠される（ステップＳ２３）。
【００７４】
また、設備管理装置１００の鍵情報消去部１１４では、所定の期間が経過したか否かが判断される。所定の期間が経過した場合は、ステップＳ１８に進み、所定の期間が経過していない場合は、ステップＳ１４に戻る（ステップＳ１７）。所定の期間とは、使用者がロック装置を開錠するための鍵情報を使用できる権利を失効するまでの期間である。たとえば、宿泊設備の使用者が宿泊設備からチェックアウトするまで、チェックインから所定の時間が経過するまで、あるいは、予め定められた時刻までのことである。
【００７５】
そして、設備管理装置１００の鍵情報消去部１１４により、ステップＳ１２で記憶された鍵情報が消去される（ステップＳ１８）。
【００７６】
以上、説明したように、第１の実施の形態における設備管理システムの設備管理装置１００は、記憶された鍵情報と、ロック装置２００で携帯通信端末３００から受信された鍵情報とが同じ場合に、ロック装置２００を開錠するように制御するとともに、所定の期間の経過後に記憶された鍵情報を消去する。このため、鍵情報は、所定の期間の経過後に使用することができなくなる。その結果、複数の人が時間を区分して利用する設備の鍵を管理することが可能な設備管理システムを提供することができる。
【００７７】
さらに、設備管理装置１００の鍵情報生成部１１５は、携帯通信端末３００の固有データ、ロック装置２００の固有データ、鍵情報を生成するときの時刻、あるいは、乱数に基づいて、鍵情報を生成する。このため、消去された鍵情報と異なる鍵情報を生成することができるので、鍵情報の複製に対する安全性を高めることができる。
【００７８】
また、設備管理装置１００の赤外線通信部１４１およびロック装置２００の鍵情報受信部２０１は、それぞれ赤外線で鍵情報を送受信してもよい。赤外線は、電波に比べて伝送距離が短く、指向性が狭い。その結果、鍵情報を送受信する際の鍵情報の漏洩に対する安全性を高めることができる。
【００７９】
さらに、設備管理装置１００の鍵情報送信部１１１およびロック装置２００の鍵情報受信部２０１は、それぞれ、遮光カバーおよびライトガイドを含んでもよい。また、設備管理装置１００の鍵情報送信部１１１は、赤外線の放射強度を所定の値に制限してもよい。さらに、ロック装置２００の鍵情報受信部２０１は、赤外線の受光量を所定の値に制限してもよい。このため、赤外線が外部に洩れにくくなる。その結果、鍵情報を送受信する際の鍵情報の漏洩に対する安全性を高めることができる。
【００８０】
なお、第１の実施の形態においては、設備管理システムで行なわれる処理について説明したが、図５に示した設備管理装置１００の処理を実行する設備管理方法、図５に示した設備管理装置１００の処理をコンピュータに実行させるための設備管理プログラムおよび設備管理プログラムを記録したコンピュータ読取可能な記録媒体として発明を捕らえることができる。
【００８１】
［第２の実施の形態］
以下、本実施の形態における第２の実施の形態について説明する。第２の実施の形態は、第１の実施の形態において設備管理装置１００が行なった鍵情報の照合とロック装置２００の制御とを、ロック装置２００で行なうようにしたものである。
【００８２】
第２の実施の形態における設備管理システムの概略は、図１で説明した第１の実施の形態における設備管理システムの概略と同様である。
【００８３】
第２の実施の形態が、第１の実施の形態と異なる点は、設備管理システムの設備管理装置１００Ａとロック装置２００Ａとの機能、および、設備管理システムの設備管理装置１００Ａとロック装置２００Ａとで行なわれる処理の流れである。
【００８４】
図６は、第２の実施の形態における設備管理システムの設備管理装置１００Ａとロック装置２００Ａとの機能の概略を示す機能ブロック図である。図６を参照して、設備管理システムは、ロック装置２００Ａと、ロック装置２００Ａを管理するための設備管理装置１００Ａとを含む。
【００８５】
設備管理システムの設備管理装置１００Ａは、制御部１１０Ａと、記憶部１３０と、通信部１４０と、入力部１５０と、出力部１６０と、外部記憶装置１７０とを含む。制御部１１０Ａと、記憶部１３０と、通信部１４０と、入力部１５０と、出力部１６０と、外部記憶装置１７０との機能については、図２で説明したとおりである。
【００８６】
設備管理装置１００Ａの制御部１１０Ａは、鍵情報生成部１１５と、第１鍵情報送信部１１６と、第２鍵情報送信部１１７と、鍵情報消去部１１４とを含む。設備管理装置１００Ａの記憶部１３０は、鍵情報記憶部１３１を含む。設備管理装置１００Ａの通信部１４０には、赤外線通信部１４１が接続される。また、ロック装置２００Ａは、第１鍵情報受信部２１１と、鍵情報記憶部２１２と、第２鍵情報受信部２１３と、開錠部２１４とを含む。
【００８７】
設備管理装置１００Ａの鍵情報生成部１１５は、ロック装置を開錠するための鍵情報を生成する。
【００８８】
設備管理装置１００Ａの鍵情報記憶部１３１は、鍵情報生成部１１５で生成された鍵情報を記憶する。
【００８９】
設備管理装置１００Ａの第１鍵情報送信部１１６は、鍵情報記憶部１３１に記憶された鍵情報を、ロック装置２００Ａに送信する。
【００９０】
設備管理装置１００Ａの第２鍵情報送信部１１７は、宿泊設備の使用者が宿泊設備にチェックインする際に、鍵情報記憶部１３１に記憶された鍵情報を、使用者の携帯通信端末３００に、赤外線通信部１４１を介して送信する。
【００９１】
設備管理装置１００Ａの赤外線通信部１４１は、第２鍵情報送信部１１７から送信された鍵情報を赤外線信号に変換して使用者の携帯通信端末３００に送信する。赤外線通信部１４１は、直接、設備管理装置１００Ａの通信部１４０に接続されてもよいし、ネットワークを介して接続された別のコンピュータに接続されてもよい。
【００９２】
ロック装置２００Ａの第１鍵情報受信部２１１は、設備管理装置１００Ａの第１鍵情報送信部１１６から送信された鍵情報を受信する。
【００９３】
ロック装置２００Ａの鍵情報記憶部２１２は、第１鍵情報受信部２１１で受信された鍵情報を記憶する。
【００９４】
ロック装置２００Ａの第２鍵情報受信部２１３は、宿泊設備の使用者が宿泊設備の客室のドアを開錠しようとする際に、宿泊設備の使用者の携帯通信端末３００から鍵情報を受信する。
【００９５】
ロック装置２００Ａの開錠部２１４は、第１鍵情報受信部２１１により設備管理装置１００から受信された鍵情報と、第２鍵情報受信部２１３により携帯通信端末３００から受信された鍵情報とが同じ場合に、ロックを開錠する。
【００９６】
設備管理装置１００Ａの鍵情報消去部１１４は、鍵情報を使用者の携帯通信端末３００に送信してから所定の時間経過した後、鍵情報記憶部１３１に記憶された鍵情報を消去する。所定の時間経過した時とは、たとえば、宿泊設備の使用者が宿泊設備からチェックアウトする時、チェックインから所定の時間が経過した時、あるいは、予め定められた時刻になった時である。
【００９７】
図７は、第２の実施の形態における設備管理システムで行なわれる処理の流れを示すフローチャートである。図７では、左から順に設備管理装置１００Ａ、ロック装置２００Ａおよび携帯通信端末３００で実行される処理を示す。図７を参照して、ステップＳ４１では、ロック装置を開錠するための鍵情報が設備管理装置１００Ａの鍵情報生成部１１５により生成される。そして、ステップＳ４１で生成された鍵情報が鍵情報記憶部１３１に記憶される（ステップＳ４２）。
【００９８】
次に、設備管理装置１００Ａの第１鍵情報送信部１１６により、ステップＳ４２で記憶された鍵情報が読み出され、ロック装置２００Ａに送信される（ステップＳ４３）。
【００９９】
一方、ロック装置２００Ａでは、第１鍵情報受信部２１１により、ステップＳ４３で送信された鍵情報が受信され（ステップＳ５１）、受信された鍵情報が鍵情報記憶部２１２に記憶される（ステップＳ５２）。
【０１００】
また、宿泊設備の使用者が宿泊設備にチェックインする際に、設備管理装置１００Ａの第２鍵情報送信部１１７により、ステップＳ４２で記憶された鍵情報が読み出され、宿泊設備の使用者の携帯通信端末３００に、読み出された鍵情報が送信される（ステップＳ４４）。
【０１０１】
一方、宿泊設備の使用者の携帯通信端末３００では、設備管理装置１００ＡによりステップＳ４４で送信された鍵情報が受信される（ステップＳ３１）。
【０１０２】
また、宿泊設備の使用者が宿泊設備の客室のドアを開錠しようとする際に、宿泊設備の使用者の携帯通信端末３００により、ステップＳ３１で受信された鍵情報が、ロック装置２００Ａに送信され（ステップＳ３２）、ロック装置２００Ａの第２鍵情報受信部２１３により、ステップＳ３２で送信された鍵情報が受信される（ステップＳ５３）。
【０１０３】
そして、ロック装置２００Ａの開錠部２１４により、ステップＳ５２で記憶された鍵情報と、ステップＳ５３で受信された鍵情報とが同じか否かが判断される。同じ場合は、ステップＳ５５に進む。異なる場合は、ステップＳ５３に戻る（ステップＳ５４）。
【０１０４】
次のステップＳ５５では、ロック装置２００Ａの開錠部２１４により、ロックが開錠される。そして、ロック装置２００Ａは、処理を終了する。
【０１０５】
さらに、設備管理装置１００Ａの鍵情報消去部１１４により、所定の期間が経過したか否かが判断される。所定の期間が経過した場合は、ステップＳ４６に進み、所定の期間が経過していない場合は、ステップＳ４５を繰返す（ステップＳ４５）。所定の期間とは、たとえば、宿泊設備の使用者が宿泊設備からチェックアウトするまで、チェックインから所定の時間が経過するまで、あるいは、予め定められた時刻までのことである。
【０１０６】
そして、設備管理装置１００Ａの鍵情報消去部１１４により、ステップＳ４２で記憶された鍵情報が消去される（ステップＳ４６）。
【０１０７】
以上、説明したように、第２の実施の形態における設備管理システムのロック装置２００Ａは、設備管理装置１００Ａから受信された鍵情報と、携帯通信端末３００から受信された鍵情報とが同じ場合に、ロックを開錠する。さらに、設備管理装置１００Ａは、所定の期間の経過後に記憶された鍵情報を消去する。このため、鍵情報は、所定の期間の経過後に使用することができなくなる。その結果、複数の人が時間を区分して利用する設備の鍵を管理することが可能な設備管理システムを提供することができる。
【０１０８】
なお、第２の実施の形態においては、設備管理システムで行なわれる処理について説明したが、図７に示した設備管理装置１００Ａの処理を実行する設備管理方法、図７に示した設備管理装置１００Ａの処理をコンピュータに実行させるための設備管理プログラムおよび設備管理プログラムを記録したコンピュータ読取可能な記録媒体として発明を捕らえることができる。
【０１０９】
［第３の実施の形態］
以下、本実施の形態における第３の実施の形態について説明する。
【０１１０】
図８は、第３の実施の形態における設備管理装置１００の機能の概略を示す機能ブロック図である。図８を参照して、設備管理装置１００は、制御部１１０と、記憶部１３０と、通信部１４０と、入力部１５０と、出力部１６０と、外部記憶装置１７０とを含む。制御部１１０と、記憶部１３０と、通信部１４０と、入力部１５０と、出力部１６０と、外部記憶装置１７０との機能については、図２で説明したとおりである。
【０１１１】
設備管理装置１００の制御部１１０は、鍵情報受信部１２１と、利用料金読出部１２２と、利用情報送信部１２３とを含む。また、設備管理装置１００の記憶部１３０は、利用情報記憶部１３２を含む。
【０１１２】
利用情報記憶部１３２は、鍵情報と設備利用料金とを対応付けて記憶する。鍵情報は、第１の実施の形態または第２の実施の形態の設備管理システムのロック装置２００を開錠するための信号である。設備利用料金は、使用者が設備を利用した対価である。
【０１１３】
鍵情報受信部１２１は、設備の使用者の携帯通信端末３００から鍵情報を受信する。
【０１１４】
利用料金読出部１２２は、鍵情報受信部１２１で受信された鍵情報に基づき、利用情報記憶部１３２から設備利用料金を読み出す。
【０１１５】
利用情報送信部１２３は、利用料金読出部１２２で読み出された設備利用料金と、設備の振込先金融機関の口座番号とを、使用者の携帯通信端末３００に送信する。
【０１１６】
図９は、第３の実施の形態における設備管理装置１００で行なわれる処理の流れを示すフローチャートである。図９を参照して、ステップＳ６１では、鍵情報受信部１２１により、使用者の携帯通信端末３００から鍵情報が受信される。
【０１１７】
そして、ステップＳ６１で受信された鍵情報に基づき、利用情報記憶部１３２から設備利用料金が読み出される（ステップＳ６２）。
【０１１８】
次に、ステップＳ６２で読み出された設備利用料金と、設備の振込先金融機関の口座番号とが、使用者の携帯通信端末３００に送信される（ステップＳ６３）。
【０１１９】
最後に、振込先金融機関から振込受理の連絡が受信される（ステップＳ６４）。
【０１２０】
以上、説明したように、第３の実施の形態における設備管理装置１００は、鍵情報と設備利用料金とを対応付けて記憶し、使用者の携帯通信端末３００から鍵情報を受信し、受信された鍵情報に基づき、記憶された設備利用料金を読出して、読み出された設備利用料金と、振込先金融機関の口座番号とを携帯通信端末に送信する。このため、使用者は、携帯通信端末３００から鍵情報を送信することにより、設備利用料金の決済に必要な情報を受信することができ、所望の金融機関で設備利用料金を決済することができる。その結果、容易に設備利用料金を決済することが可能な設備管理装置１００を提供することができる。
【０１２１】
なお、第３の実施の形態においては、設備管理装置１００で行なわれる処理について説明したが、図９に示した処理を実行する設備管理方法、図９に示した処理をコンピュータに実行させるための設備管理プログラムおよび設備管理プログラムを記録したコンピュータ読取可能な記録媒体として発明を捕らえることができる。
【０１２２】
［第４の実施の形態］
以下、本実施の形態における第４の実施の形態について説明する。
【０１２３】
図１０は、第４の実施の形態における設備管理装置の機能の概略を示す機能ブロック図である。図１０を参照して、設備管理装置１００は、制御部１１０と、記憶部１３０と、通信部１４０と、入力部１５０と、出力部１６０と、外部記憶装置１７０とを含む。制御部１１０と、記憶部１３０と、通信部１４０と、入力部１５０と、出力部１６０と、外部記憶装置１７０との機能については、図２で説明したとおりである。
【０１２４】
設備管理装置１００の制御部１１０は、利用情報受信部１２４と、利用料金読出部１２５と、振替情報送信部１２６とを含む。また、設備管理装置１００の記憶部１３０は、利用情報記憶部１３２を含む。
【０１２５】
利用情報記憶部１３２は、鍵情報と設備利用料金とを対応付けて記憶する。鍵情報は、第１の実施の形態および第２の実施の形態の設備管理システムのロック装置２００を開錠するための信号である。設備利用料金は、使用者が設備を利用した対価である。
【０１２６】
利用情報受信部１２４は、設備の使用者の携帯通信端末３００から鍵情報と使用者の引落金融機関の口座番号と口座番号の暗証番号とを受信する。
【０１２７】
利用料金読出部１２２は、利用情報受信部１２４で受信された鍵情報に基づき、利用情報記憶部１３２から設備利用料金を読み出す。
【０１２８】
振替情報送信部１２３は、利用情報受信部１２４で受信された引落金融機関の口座番号と暗証番号と、設備の振込先金融機関の口座番号と、利用料金読出部１２２で読み出された設備利用料金とを引落金融機関に送信する。
【０１２９】
図１１は、第４の実施の形態における設備管理装置１００で行なわれる処理の流れを示すフローチャートである。図１１を参照して、ステップＳ７１では、鍵情報受信部１２４により、使用者の携帯通信端末３００から鍵情報と使用者の引落金融機関の口座番号と口座番号の暗証番号とが受信される。
【０１３０】
そして、ステップＳ７１で受信された鍵情報に基づき、利用情報記憶部１３２から設備利用料金が読み出される（ステップＳ７２）。
【０１３１】
次に、ステップＳ７１で受信された引落金融機関の口座番号と暗証番号と、設備の振込先金融機関の口座番号と、ステップＳ７２で読み出された設備利用料金とが引落金融機関に送信される（ステップＳ７３）。
【０１３２】
最後に、振込先金融機関から振込受理の連絡が受信される（ステップＳ７４）。
【０１３３】
以上、説明したように、第４の実施の形態における設備管理装置１００は、鍵情報と設備利用料金とを対応付けて記憶し、設備の使用者の携帯通信端末３００から鍵情報と引落金融機関の口座番号と口座番号の暗証番号とを受信し、受信された鍵情報に基づき、設備利用料金を読出して、受信された引落金融機関の口座番号と暗証番号と、振込先金融機関の口座番号と、読出された設備利用料金とを引落金融機関に送信する。このため、設備の使用者は、携帯通信端末３００から鍵情報と設備利用料金の決済に必要な情報とを送信することにより、金融機関で設備利用料金を決済することができる。その結果、容易に設備利用料金を決済することが可能な設備管理装置１００を提供することができる。
【０１３４】
なお、第４の実施の形態においては、設備管理装置１００で行なわれる処理について説明したが、図１１に示した処理を実行する設備管理方法、図１１に示した処理をコンピュータに実行させるための設備管理プログラムおよび設備管理プログラムを記録したコンピュータ読取可能な記録媒体として発明を捕らえることができる。
【０１３５】
今回開示された実施の形態はすべての点で例示であって、制限的なものではないと考えられるべきである。本発明の範囲は上記した説明ではなくて特許請求の範囲によって示され、特許請求の範囲と均等の意味および、範囲内でのすべての変更が含まれることが意図される。
【図面の簡単な説明】
【図１】  第１の実施の形態における設備管理システムの概略を示す図である。
【図２】  第１の実施の形態における設備管理システムの設備管理装置とロック装置との機能の概略を示す機能ブロック図である。
【図３】  第１の実施の形態における設備管理システムの設備管理装置の赤外線送信部の外観を示す図である。
【図４】  第１の実施の形態における設備管理システムの設備管理装置の赤外線送信部の外観を示す図である。
【図５】  第１の実施の形態における設備管理システムで行なわれる処理の流れを示すフローチャートである。
【図６】  第２の実施の形態における設備管理システムの設備管理装置とロック装置との機能の概略を示す機能ブロック図である。
【図７】  第２の実施の形態における設備管理システムで行なわれる処理の流れを示すフローチャートである。
【図８】  第３の実施の形態における設備管理装置の機能の概略を示す機能ブロック図である。
【図９】  第３の実施の形態における設備管理装置で行なわれる処理の流れを示すフローチャートである。
【図１０】  第４の実施の形態における設備管理装置の機能の概略を示す機能ブロック図である。
【図１１】  第４の実施の形態における設備管理装置で行なわれる処理の流れを示すフローチャートである。
【符号の説明】
１００，１００Ａ  設備管理装置、１１０，１１０Ａ  制御部、１１１  鍵情報送信部、１１２  鍵情報受信部、１１３  ロック装置制御部、１１４  鍵情報消去部、１１５  鍵情報生成部、１１６  第１鍵情報送信部、１１７  第２鍵情報送信部、１２１  鍵情報受信部、１２２  利用料金読出部、１２３  利用情報送信部、１２４  利用情報受信部、１２５  利用料金読出部、１２６  振替情報送信部、１３０  記憶部、１３１  鍵情報記憶部、１３２  利用情報記憶部、１４０  通信部、１４１，１４１Ａ  赤外線通信部、１５０  入力部、１６０  出力部、１７０  外部記憶装置、１７１  記録媒体、２００，２００Ａ  ロック装置、２０１  鍵情報受信部、２０２  鍵情報送信部、２１１  第１鍵情報受信部、２１２  鍵情報記憶部、２１３  第２鍵情報受信部、２１４  開錠部、３００携帯通信端末、５１０  赤外線受発光部、５２０  遮光カバー、５３０  ライトガイド、６００  金融機関。
【図１】
0003986852.tif 000002
【図２】
0003986852.tif 000003
【図３】
0003986852.tif 000004
【図４】
0003986852.tif 000005
【図５】
0003986852.tif 000006
【図６】
0003986852.tif 000007
【図７】
0003986852.tif 000008
【図８】
0003986852.tif 000009
【図９】
0003986852.tif 000010
【図１０】
0003986852.tif 000011
【図１１】
0003986852.tif 000012